(57)【要約】【課題】  軸封装置のシール面と回転軸のシール面とを傷付けることなく軸封装置を圧縮機に組み付けることが可能な、軸封装置の開放型圧縮機への組み付け方法を提供する。【解決手段】  柔軟なフィルムから成る筒体を軸封装置に挿通し、前記筒体を圧縮機の回転軸の端部に外嵌合させ、前記筒体上を滑らせて軸封装置を回転軸の端部に外嵌合させ、前記筒体を回転軸の端部から引き抜く。【選択図】  図４
2007023818.tif 000002
【特許請求の範囲】
【請求項１】
柔軟なフィルムから成る筒体を軸封装置に挿通し、前記筒体を圧縮機回転軸の端部に外嵌合させ、前記筒体上を滑らせて軸封装置を回転軸の端部に外嵌合させ、前記筒体を回転軸の端部から引き抜くことを特徴とする軸封装置の開放型圧縮機への組み付け方法。
【請求項２】
柔軟なフィルムから成る筒体を軸封装置に挿通した後、前記筒体を回転軸の軸封装置嵌合部まで外嵌合させることを特徴とする請求項１に記載の軸封装置の開放型圧縮機への組み付け法。
【請求項３】
柔軟なフィルムは合成樹脂フィルムであることを特徴とする請求項１又は２に記載の軸封装置の開放型圧縮機への組み付け方法。
【請求項４】
柔軟なフィルムは金属フィルムであることを特徴とする請求項１又は２に記載の軸封装置の開放型圧縮機への組み付け方法。
【発明の詳細な説明】
【技術分野】
【０００１】
本発明は、軸封装置の開放型圧縮機への組み付け方法に関するものである。
【背景技術】
【０００２】
回転軸の端部外周に外部駆動源に連結した動力伝達部材と係合するためのセレーションが形成され、回転軸のセレーション形成部に隣接する部位に軸封装置が外嵌合した開放型圧縮機が特許文献１等に開示されている。回転軸のセレーション形成部の外径は、軸封装置嵌合部の外径よりも小さな値に設定されている。
従来の開放型圧縮機においては、図１（ａ）乃至（ｅ）に時系列的に示すように、回転軸１１０の軸封装置嵌合部１１０ｂの外径とセレーション形成部１１０ａの外径との差の１／２の厚みを有する金属製の筒体１１１を、セレーション形成部１１０ａに外嵌合させて、軸封装置嵌合部１１０ｂの円環状端面に当接させ、次いで、当該筒体１１１に軸封装置１１２を外嵌合させ、筒体１１１上を滑らせて軸封装置１１２を軸封装置嵌合部１１０ｂ上の正規組み付け位置まで押し込み、次いで筒体１１１をセレーション形成部１１０ａから引き抜くことにより、軸封装置１１２を圧縮機に組み付けていた。
【特許文献１】特開平１０−１１０６７６
【発明の開示】
【発明が解決しようとする課題】
【０００３】
回転軸１１０のセレーション形成部１１０ａの外径は、セレーションを介するトルク伝達を勘案すると大きいのが好ましい。回転軸１１０の軸封装置嵌合部１１０ｂの外径は、軸封装置１１２の耐久性を勘案すると、軸封装置嵌合部１１０ａと該部の外周に摺接する軸封装置１１２との間の相対速度を低減させるべく、小さいのが望ましい。従って、回転軸１１０の軸封装置嵌合部１１０ｂの外径とセレーション形成部１１０ａの外径との差、ひいては軸封装置１１２を回転軸１１０に組み付ける際に使用する筒体１１１の肉厚は薄く成らざるを得ない。しかし薄肉の金属製筒体１１１を精度良く製造するのは困難である。この結果、形状精度の低い金属製筒体１１１に外嵌合させる際に軸封装置１１２のシール面が傷付いて軸封装置１１２のシール性能が低下し、或いは形状精度の低い金属製筒体１１１に外嵌合させる際に軸封装置１１２のシール材支持金具が変形し、圧縮機に組み付けられた軸封装置１１２のシール材支持金具が回転軸１１０のシール面と干渉し、当該シール面を傷付けて軸封装置１１２のシール性能を低下させる等の問題を生ずる可能性がある。
本発明は上記問題に鑑みてなされたものであり、軸封装置のシール面と回転軸のシール面とを傷付けることなく軸封装置を圧縮機に組み付けることが可能な、軸封装置の開放型圧縮機への組み付け方法を提供することを目的とする。
【課題を解決するための手段】
【０００４】
上記課題を解決するために、本発明においては、柔軟なフィルムから成る筒体を軸封装置に挿通し、前記筒体を圧縮機の回転軸の端部に外嵌合させ、前記筒体上を滑らせて軸封装置を回転軸の端部に外嵌合させ、前記筒体を回転軸の端部から引き抜くことを特徴とする軸封装置の開放型圧縮機への組み付け方法を提供する。
柔軟なフィルから成る筒体は、当該筒体に外嵌合する軸封装置のシール面を傷付けず、また軸封装置のシール材支持金具を変形させない。従って、柔軟なフィルから成る筒体を使用すれば、軸封装置のシール面と回転軸のシール面とを傷付けるおそれはない。柔軟なフィルから成る筒体は、容易に回転軸の端部に外嵌合させることができる。軸封装置を予め筒体に外嵌合させておけば、筒体を回転軸に外嵌合させた後に、筒体上を滑らせて軸封装置を正規組み付け位置まで容易に移動させることができる。軸封装置を正規組み付け位置まで移動させた後、筒体を回転軸端面方向へ引っ張れば、柔軟なフィルム製の筒体は容易に回転軸から引き抜かれる。従って、本発明により、軸封装置のシール面と回転軸のシール面とを傷付けることなく軸封装置を圧縮機に組み付けることが可能で、且つ容易に軸封装置を圧縮機に組み付けることが可能な、軸封装置の開放型圧縮機への組み付け方法が提供される。
【０００５】
本発明の好ましい態様においては、柔軟なフィルムから成る筒体を軸封装置に挿通した後、前記筒体を回転軸の軸封装置嵌合部まで外嵌合させる。
柔軟なフィルムから成る筒体は、セレーション部を越えて超えて軸封装置嵌合部まで容易に外嵌合させることができる。軸封装置嵌合位置まで筒体が延在していれば、セレーション形成部の端部までしか筒体が延在していない場合に比べて正規組み付け位置までの軸封装置の移動が容易になる。
【０００６】
本発明の好ましい態様においては、柔軟なフィルムは合成樹脂フィルムである。
本発明の好ましい態様においては、柔軟なフィルムは金属フィルムである。
柔軟なフィルムはポリエチレンフィルム等の合成樹脂フィルムでも良く、アルミ箔等の金属フィルムでも良い。
【発明の効果】
【０００７】
柔軟なフィルから成る筒体は、当該筒体に外嵌合する軸封装置のシール面を傷付けず、また軸封装置のシール材支持金具を変形させない。従って、柔軟なフィルから成る筒体を使用すれば、軸封装置のシール面と回転軸のシール面とを傷付けるおそれはない。柔軟なフィルから成る筒体は、容易に回転軸の端部に外嵌合させることができる。軸封装置を予め筒体に外嵌合させておけば、筒体を回転軸に外嵌合させた後に、筒体上を滑らせて軸封装置を正規組み付け位置まで容易に移動させることができる。軸封装置を正規組み付け位置まで移動させた後、筒体を回転軸端面方向へ引っ張れば、柔軟なフィルム製の筒体は容易に回転軸から引き抜かれる。従って、本発明により、軸封装置のシール面と回転軸のシール面とを傷付けることなく軸封装置を圧縮機に組み付けることが可能で、且つ容易に軸封装置を圧縮機に組み付けることが可能な、軸封装置の開放型圧縮機への組み付け方法が提供される。
【発明を実施するための最良の形態】
【０００８】
本発明の実施例に係る軸封装置の開放型圧縮機への組み付け方法と当該方法により組み付けられた軸封装置を備える開放型斜板式圧縮機とを説明する。
【実施例１】
【０００９】
図２に示すように、開放型可変容量型斜板式圧縮機Ａは、回転軸１０と、回転軸１０に固定されたローター１１と、傾角可変に回転軸１０に支持された斜板１２とを備えている。斜板１２は、斜板１２の傾角変動を許容するリンク機構１３を介してローター１１に連結され、ローター１１ひいては回転軸１０に同期して回転する。
斜板１２の周縁部に摺接する一対のシュー１４を介してピストン１５が斜板１２に係留されている。
ピストン１５は、シリンダブロック１６に形成されたボア１６ａに挿入されている。
回転軸１０、ローター１１、斜板１２を収容するクランク室１７を形成する有底円筒状のフロントハウジング１８が配設されている。回転軸１０は、フロントハウジング１８を貫通して外部へ延びている。
回転軸１０のフロントハウジング１８を貫通して外部へ延びた端部は、周側面にセレーションが形成されたセレーション形成部１０ａとなっており、セレーション形成部１０ａに且つクランク室１７寄りに隣接する部位は、後述する軸封装置１９の嵌合部１０ｂとなっている。セレーション形成部１０ａの外径は、軸封装置嵌合部１０ｂの外径よりも若干小さな値に設定されている。
【００１０】
回転軸１０のフロントハウジング貫通部を密封する軸封装置１９が配設されている。図３に示すように、軸封装置１９は、回転軸１０の軸封装置嵌合部１０ｂ周側面に摺接するリップシール部材１９ａ、１９ｂと、リップシール部材１９ａ、１９ｂを保持固定する保持金具１９ｃ、１９ｄとを有している。クランク室１７寄りに配設されたリップシール部材１９ａはゴム成形体であり、保持金具１９ｃ、１９ｄにより保持された固定部１９ａ′と回転軸１０の軸封装置嵌合部１０ｂ周側面に摺接する可動部１９ａ″とを有している。回転軸１０の端部寄りに配設されたリップシール部材１９ｂは樹脂製であり、保持金具１９ｃ、１９ｄにより保持された固定部１９ｂ′と回転軸１０の軸封装置嵌合部１０ｂ周側面に摺接する可動部１９ｂ″とを有している。リップシール部材１９ａ、１９ｂの可動部部１９ａ″、部１９ｂ″は、回転軸１０のフロントハウジング貫通部へ組み付けられる前は、図３に二点鎖線で示すように径方向内方へ延在しているが、組み付け後は、回転軸１０の軸封装置嵌合部１０ｂ周側面に押し付けられて前記周側面に摺接し、回転軸１０のフロントハウジング貫通部をシールする。
【００１１】
フロントハウジング１８に取りつけられた電磁クラッチ２０を介して図示しない外部駆動源から回転軸１０の先端部に回転動力が伝達される。電磁クラッチ２０のアーマチュア２０ａが、回転軸のセレーション形成部１０ａにセレーション結合されている。
吸入室と吐出室とを形成するシリンダヘッド２１が配設されている。
シリンダブロック１６とシリンダヘッド２１との間にボア１６ａに連通する吸入口と吐出口とが形成された弁板２２が配設されている。
【００１２】
フロントハウジング１８、シリンダブロック１６、弁板２２、シリンダヘッド２１は、ボルト２３により一体に組み付けられている。フロントハウジング１８とシリンダブロック１６との接合部にガスケット２４が介挿され、シリンダブロック１６とシリンダヘッド２１との接合部、より具体的には弁板２２とシリンダブロック１６、シリンダヘッド２１との接合部には、ガスケット２５、２６が介挿され、該部をシールしている。ガスケット２４〜２６はゴム成形体である。
回転軸１０はフロントハウジング１８、シリンダブロック１６により回転可能に支持されている。
【００１３】
軸封装置１９は以下の手順で回転軸１０に組み付けられる。
図４（ａ）〜（ｄ）に示すように、ポリエチレンフィルム等の樹脂製の柔軟なフィルム、又はアルミ箔等の金属製の柔軟なフィルムからなる筒体２７を軸封装置１９に挿通し、次いで筒体２７を回転軸端部に且つ軸封装置嵌合部１０ｂまで外嵌合させ、次いで筒体２７上を滑らせて軸封装置１９を回転軸端部の軸封装置嵌合部１０ｂの正規位置に外嵌合させ、次いで筒体２７を回転軸１０の端部から引き抜く。
柔軟なフィルから成る筒体２７は、当該筒体に外嵌合する軸封装置１９のリップシール部材可動部１９ａ″、１９ｂ″のシール面を傷付けない。また柔軟なフィルから成る筒体２７は、当該筒体に外嵌合する軸封装置１９のリップシール部材保持金具１９ｄを変形させず、圧縮機に組み付けられた軸封装置１９のリップシール部材保持金具１９ｄと回転軸１０のシール面である軸封装置嵌合部１０ｂ表面との干渉を惹起せず、回転軸１０のシール面を傷付けない。柔軟なフィルから成る筒体２７は、容易に回転軸１０の端部に外嵌合させることができる。軸封装置１９を予め筒体２７に外嵌合させておけば、筒体２７を回転軸１０の端部に外嵌合させた後に、筒体２７上を滑らせて軸封装置１９を正規組み付け位置まで容易に移動させることができる。軸封装置１９を正規組み付け位置まで移動させた後、筒体２７を回転軸端面方向へ引っ張れば、柔軟なフィルム製の筒体２７は容易に回転軸１０から引き抜かれる。従って、上記方法は、軸封装置１９のシール面と回転軸１０のシール面とを傷付けることなく軸封装置１９を圧縮機に組み付けることが可能で、且つ容易に軸封装置１９を圧縮機に組み付けることが可能な、軸封装置１９の開放型圧縮機への組み付け方法である。
柔軟なフィルムから成る筒体２７は、セレーション形成部１０ａを越えて軸封装置嵌合部１０ｂまで容易に外嵌合させることができる。軸封装置嵌合部１０ｂまで筒体２７が延在していれば、セレーション形成部１０ａの軸封装置嵌合部１０ｂ側端部までしか筒体２７が延在していない場合に比べて、正規組み付け位置までの軸封装置１９の移動が容易になる。
ＣＯ２ガスのような高圧冷媒を圧縮する開放型圧縮機においては、軸封装置での高いシール性が特に必要とされる。従って、本実施例に係る軸封装置の開放型圧縮機への組み付け方法は、ＣＯ２圧縮機に特に有効である。
【産業上の利用可能性】
【００１４】
本発明は斜板式圧縮機、揺動板式圧縮機等の各種開放型圧縮機に広く利用可能である。
【図面の簡単な説明】
【００１５】
【図１】従来技術に係る軸封装置の開放型圧縮機への組み付け方法を説明する図である。
【図２】本発明の実施例に係る方法で組み付けられた軸封装置を備える開放型可変容量型斜板式圧縮機の断面図である。
【図３】図２の部分拡大図である。
【図４】本発明の実施例に係る軸封装置の開放型圧縮機への組み付け方法を説明する図である。
【符号の説明】
【００１６】
Ａ  可変容量型斜板式圧縮機
１０  回転軸
１０ａ  セレーション形成部
１０ｂ  軸封装置嵌合部
１１  ローター
１２  斜板
１３  リンク機構
１４  シュー
１５  ピストン
１８  フロントハウジング
１９  軸封装置
１９ａ、１９ｂ  リップシール部材
２４、２５、２６  ガスケット
２７  筒体
【図１】
2007023818.tif 000003
【図２】
2007023818.tif 000004
【図３】
2007023818.tif 000005
【図４】
2007023818.tif 000006